Podtech/llm-jp-corpus-v4-ja_patent huggingface dataset:
(57)【要約】【課題】  足を突っ張ることができないために生じる転倒にともない骨折などの事故が発生するのを防止するようにした自転車の転倒防止装置を提供することにある。【解決手段】自転車Ａの後ハブ軸１に設けた支持部材Ｂと、この支持部材に軸線が上記後ハブ軸に交差する支点を介し上記自転車の側面に対し接近、離反するように上縁側を支持した突っ張り部材Ｃとからなり、上記突っ張り部材の下向き突出長さが、カーブ走行時に下縁が接地せず、かつ自転車の倒れ前に下縁が接地して突っ張るようになっている構成を採用する。【選択図】  図２
2011088614.tif 000002
【特許請求の範囲】
【請求項１】
自転車の後ハブ軸に設けた支持部材と、この支持部材に軸線が上記後ハブ軸に交差する支点を介し上記自転車の側面に対し接近、離反するように上縁側を支持した突っ張り部材とからなり、上記突っ張り部材の下向き突出長さが、カーブ走行時に下縁が接地せず、かつ自転車の倒れ前に下縁が接地して突っ張るようになっていることを特徴とする自転車の転倒防止装置。
【発明の詳細な説明】
【技術分野】
【０００１】
この考案は、自転車の転倒を防止する装置に関する。
【背景技術】
【０００２】
自転車の走行時に歩行者や自転車などの飛び出し、或いは走行している自転車や車などとの接触を回避する際、ブレーキをかけて急に自転車を停止することがある。
【０００３】
その際、自転車が転倒する。
この要因は、自転車に乗っている人の足が接地しないで、転倒を防止する足での突っ張りができないことにより自転車と共に転倒する。
【０００４】
特に動作が緩慢な或いは脚力の弱った高齢者に多い。
勿論、自転車を停止した際にも発生する。
【０００５】
すると、転倒にともない骨折などの事故が発生する。
そこで、自転車の転倒を防止する手段がある（特許文献１及び２）。
【先行技術文献】
【特許文献】
【０００６】
【特許文献１】実開平５−６７５９１号公報
【特許文献２】特開２００８−１６８８８５号公報
【発明の概要】
【発明が解決しようとする課題】
【０００７】
ところで、特許文献１の構成によると、自転車の走行時の転倒を、荷台の両側に取付けてハ字状に垂れ下がる両支持部材により突っ張って、阻止するものである。
【０００８】
このような方式によると、両側の支持部材がハ字状に広がり（ハンドル幅に広がる）、この広がった支持部材が、歩行者に引っかかる問題があった。
【０００９】
また、特許文献２の構成によると、車体の左右（両側）にそれぞれアームを設けて、このアームの先端に補助車輪を接地させて自転車の転倒を防止するものである。
【００１０】
このような方式によると、車体の両側にアームと共に車輪が出っぱって、歩行者の歩行を妨げる問題があった。
【００１１】
上記いずれの方式にあっても、車体の両側の転倒防止手段が大きく出っぱっている。
【００１２】
そこで、この発明は、上述の問題を解決した自転車の転倒防止装置を提供することにある。
【課題を解決するための手段】
【００１３】
上記の課題を解決するために、この発明は、自転車の後ハブ軸に設けた支持部材と、この支持部材に軸線が上記後ハブ軸に交差する支点を介し上記自転車の側面に対し接近、離反するように上縁側を支持した突っ張り部材とからなり、上記突っ張り部材の下向き突出長さが、カーブ走行時に下縁が接地せず、かつ自転車の倒れ前に下縁が接地して突っ張るようになっている構成を採用する。
【発明の効果】
【００１４】
以上のように、この発明の自転車の転倒防止装置によれば、自転車の走行時にあっては、両側の突っ張り部材が自重により垂れ下がり、しかも後ハブ軸の両端に配置してあるので、歩行者の歩行を妨げることが（出っぱりが殆どないため）ないと共に、体裁がよい。
【００１５】
そして、自転車が転倒しようとしても、転倒方向側の突っ張り部材が、後輪に並行する姿勢から転倒方向側に自重で、かつ自動的に傾動しながら（突っ張り部材の下縁が後輪に対し離反しながら）、自転車の転倒角度が大きくなると突っ張り部材の下縁が接地する。
【００１６】
このため、自転車の転倒を防止すると共に、防止にともない骨折などの事故を防止する効果がある。
【図面の簡単な説明】
【００１７】
【図１】図１は、この発明の実施形態を示す側面図である。
【図２】図２は、同上の要部を示す一部切欠拡大側面図である。
【図３】図３は、同一部切欠配面図である。
【図４】図４は、作用を示す一部切欠配面図である。
【発明を実施するための形態】
【００１８】
この発明の実施の形態を添付図面に基づいて説明する。
【００１９】
この発明の実施形態の図１から図３に示すＡは、自転車である。
上記自転車Ａにおける後ハブ軸１の両端にそれぞれ支持部材Ｂを設ける。
【００２０】
上記後ハブ軸１に対する支持部材Ｂの取付けは、図示の場合、支持部材Ｂを構成するアングル材２の両端間の中央に透孔３を設けて、この透孔３に後ハブ軸１を貫通したのち、
後ハブ軸１にナット４をねじ込んで締め付ける。
【００２１】
また、それぞれの支持部材Ｂには、軸線が後ハブ軸１の軸線に対し直角に交差する支軸５を介し自転車Ａの側面に対し接近、離反揺動するように上縁側を支持した突っ張り部材Ｃが設けてある。
【００２２】
上記の支軸５は、図示の場合、支持部材Ｂの自転車Ａの走行方向前後に位置する両端の下向き突出部６に設けてあるネジ孔７に支軸５の末端ネジ部８をねじ込むと共に、突っ張り部材Ｃの上縁の自転車Ａの走行方向前後の両側に設けてある凹孔９に支軸５の先端部を嵌入して、突っ張り部材Ｃを揺動自在に取付けてある。
【００２３】
さらに、上記突っ張り部材Ｃの下方への突出の長さは自転車Ａのカーブ走行時には、突っ張り部材Ｃが外に広がり揺動しても地面Ｄに接地して自転車Ａの走行を阻害せず、自転車Ａが転倒方向に傾いた際地面Ｄに下縁が接地して自転車Ａの転倒を防止する長さになっている。
【００２４】
なお、上記の突っ張り部材Ｃは、例えば打抜き或いはプレス成型品やその他の金属製のもので、中央部分に貫窓１０を設けて軽量化をはかったが、限定されず、形状も図示の台計に限定されない。
【００２５】
上記のように構成すると、自転車Ａが倒れ方向に傾くと、傾き方向側の突っ張り部材Ｃが支軸５を支点として外側方に傾動しながら、図４に示すように地面Ｄに突っ張り部材Ｃの下縁が接地して突っ張るので、自転車Ａの転倒を防止する。
その結果、骨折などの事故を防止する。
【符号の説明】
【００２６】
Ａ      自転車
Ｂ      支持部材
Ｃ      突っ張り部材
Ｄ      地面
１      後ハブ軸
２      アングル材
３      透孔
４      ナット
５      支軸
６      突出部
７      ネジ孔
８      ネジ部
９      凹孔
【図１】
2011088614.tif 000003
【図２】
2011088614.tif 000004
【図３】
2011088614.tif 000005
【図４】
2011088614.tif 000006
(57)【要約】【課題】４輪自動車、２輪車で、高速道路の車線変更  進路変更、一般道路での右折、左折、車線変更、進路変更を行う時、方向指示器を使って行うが、ハンドル操作では解除されないことがあった【解決手段】ハンドル操作で方向指示器の動作が解除出来ない時、本装置の電子部品のユニット化した制御装置にて、車の速度、走行距離、経過時間などの要素をシステム化し、それぞれの状況に合わせた制御を行い、方向指示器へのリセット信号を出力するものである【選択図】図１
2011088615.tif 000002
【特許請求の範囲】
【発明の詳細な説明】
【技術分野】
【０００１】２輪車、４輪車などの方向指示器の解除を確実に行う装置である
【背景技術】
【０００２】４輪車においては、ハンドルの回転を利用した機械的な方法で、使用した方向指示器を解除している【０００３】同じように２輪車の方向指示器も、手の指で戻している【０００４】まれに、方向指示器の解除がされず、いつまでも動作を停止していない車両を見うける事がある  または戻っていない事に気が付いた場合は、手作業でスイッチを戻している  動作し続けている事を、知らせる為に、ランプ（ＬＥＤ）や、クリック音を出し、運転者に知らせている
【先行技術】
【０００５】方向指示器の解除は４輪車においてはハンドルを回転させる事で解除している
【発明の概要】
【発明が解決しようとする課題】
【０００６】４輪車においては、ハンドルの回転を利用して方向指示器を解除し２輪車においては手の指で戻している  まれに、方向指示器の解除がされず、或いは戻すことを忘れる事がある  本発明は方向指示器のいわゆる消し忘れを防止する装置である
【課題を解決するための手段】
【０００７】本発明は、方向指示器を装備している４輪車、２輪車などで、その車両を運転中  右折、左折、車線変更、進路変更を行い、それぞれの変更が終了しても、方向指示器の動作が、ハンドル操作では解除されない時、車両が走行したデータを入力信号とし、電子回路にプログラムされた制御で処理され、適正な出力信号を出し、解除する装置である
【発明の効果】
【０００８】通常、方向指示器の動作終了を確認する時、点滅しているランプ（ＬＥＤ）や、クリック音で確認している  また、２輪車の場合は４輪車同様の確認をするか、或いは方向指示器のスイッチの位置を目視、或いは指などで確認する必要がある  しかし、方向指示器の消し忘れが起きたときは、後続車両や、周りに通行している人や、自転車に乗っている人に、迷惑をかける事になり、最悪の状況では事故を起こす原因になる
【図面の簡単な説明】
【０００９】
【図１】本発明のブロック図である
【符号の説明】１        入力信号で要素となる項目
速度
走行距離
時間
車輪角度
スイッチ
センサー
２        電子回路（システム制御）
３        出力信号で方向指示器リセットする
【発明を実施するための形態】
【００１０】本装置は電子部品をユニット化した制御装置を、２輪車、４輪車ともスピードメーターが配置されている部分、或いは、その内部に収納して使用する
【実施例】
【００１１】本発明の実施例を図１をもとに説明する
本装置は次の計測を行うことで実現している  それは、車の速度、走行距離、経過時間、が基本３要素である  車輪の角度などの情報がある場合はそれも利用する事が出きる  そのほか、手以外でのスイッッチ動作や、センサーの作動による  ＯＮ  ／ＯＦＦ  を入力信号として利用できる  よって、身体障害者の使用にも利便性がある  では高速道路上で車線変更時の動作を説明する  方向指示器のスイッチを入れると、距離と、速度にリンクしている時間の計測がスタートする車線の変更が終了する頃、出力信号が発生し、方向指示器がＯＦＦへ動作する  次に、一般道路などでの車両が右折する場合について説明する  方向指示器のスイッチを入れると、高速道路と同様な  速度、距離、時間の計測がスタートする  右折レーンで、直進車両や、信号待ちをする必要がある場合は、当然、停止時間をカウントしない  このケースは走行距離がメインの要素として出力信号を出すシステムになっている  次に、２輪車での動作を説明する  基本は４輪車と同じだが、方向指示器のスイッチは保持機能の無い押しボタンなどに変更できる事ができる
【産業上の利用可能性】
【００１２】本発明は以上説明したような形態で実施され、以下に記されるような車両などに取り付ける事が出来る
乗用車、貨物自動車、原付を含む２輪車、そのほかフォークリフト等の運搬車両、自転車
【図１】
2011088615.tif 000003
【手続補正書】
【提出日】平成21年12月17日(2009.12.17)
【手続補正１】
【補正対象書類名】特許請求の範囲
【補正対象項目名】全文
【補正方法】追加
【補正の内容】
【特許請求の範囲】
【請求項１】
（目的）車両、特に４輪自動車、２輪車で、高速道路の車線変更  進路変更、一般道での右折、左折、車線変更、進路変更行ったとき、リセット動作を自動で終了させることが出来る装置
空港などに荷役車両の走行、工場などの構内で使用する車両にも有効である
（構成）この方向指示器解除装置は、電子回路にプログラムを記憶した制御ユニットが組み込まれている  それは、車の速度、走行距離、経過時間を入力信号とし、それぞれの状況に合わせた制御を行い、リセットの出力信号を出力する  入力信号は上記以外に、車輪角度、その他のスイッチや、センサーからの信号も入力信号とすることが出来る
（選択図）図１
(57)【要約】【課題】従来の単一式のペン立ては、設置面積が大きく、高価で、壁面には設置できなかった。また、物が当っても衝撃を吸収できなかった。【解決手段】ゴム製吸盤または裏面に粘着剤をつけたゴム製台盤等の弾性盤上部にヒンジ構造でペン収納筒を取り付けた。【選択図】図１
2011088441.tif 000002
【特許請求の範囲】
【請求項１】
ゴム製吸盤または裏面に粘着剤をつけたゴム製台盤等の弾性盤上部にヒンジ構造でペン収納筒を取り付けたペン立て。
【発明の詳細な説明】
【技術分野】
【０００１】  本発明は、事務用の単一のペン等を立てる用具に関するものである。
【背景技術】
【０００２】  ペン立ては各種作成されてきたが、単一のペン立てとしては、ペン収納筒の根元に金属球を取り付け、バネで押し上げてペン収納筒を支持する形式が代表的だが、メモ用紙台の端等に固定したペン収納筒やペン収納穴を設ける場合もある。
【発明の概要】
【発明が解決しようとする課題】
【０００３】  従来技術の単一ペン立ては、転倒防止のために設置台は面積を大きくするか、金属等の重い材料を使用せざるを得ず、根元に金属球を取り付けたペン立ては、傾斜が自在に調整できるが、構造が複雑であり、高価でもあり、ペンに物が当っても、衝撃を吸収できず、ペン筒が傾いてしまうので、修正が必要であり、壁面への設置はできなかった。
【課題を解決するための手段】
【０００４】  ゴム製吸盤または裏面に粘着剤をつけたゴム製台盤等の弾性盤上部にヒンジ構造でペン収納筒を取り付けた。
【発明の効果】
【０００５】  本発明は、ゴム製吸盤または裏面に粘着剤をつけたゴム製台盤等の弾性盤を利用することにより、平滑面なら弾性盤の幅さえあればどこでも設置できるだけでなく、弾性盤の材質に弾性があることにより、ペンに物が当っても弾性盤の弾性で衝撃を吸収して元の位置に自動復旧でき、サイズが小さく軽量にできるので、不要時は取り外して収納しておいても場所をとることも無く、構造が簡単なため安価で製造できるので色やデザインを変えて楽しむことができる。【０００６】  弾性盤とペン収納筒とはヒンジ構造で接続しているので、強い力で傾ければ傾斜を自在に調整できる。
【図面の簡単な説明】
【０００７】
【図１】  本発明の斜視図
【図２】  壁面使用時の側面図
【発明を実施するための形態】
【０００８】  ペン収納筒は、根元を直接弾性盤に取り付ける（例図Ａ、例図Ｂ）か、支柱を介して取り付ける（例図Ｃ）ことができる。例図Ａでは壁面にも取り付けできる（図２）。例図Ｂではペン収納筒根元を球型として弾性盤頭部材で包み込み、挟んで支承することにより、各方向に傾斜を調整でき、かつ構造がより単純となる。例図Ｃでは支柱のデザインを自在に変えて楽しむことができる。
【０００９】  吸盤を使用する場合は、木材面等には設置できないので、従来から使用されている平滑板を使用する必要がある。スチール机等のわずかな粗面の場合は、接着内面をクリーム等で少し濡らしておくと良く吸着する。
【００１０】  裏面に粘着剤をつけたゴム製台盤を使用する場合は、多少の粗面でも使用できるが、取り外しを容易にするために、台盤周辺の材厚を薄くし、少し大きめのめくり上げ用手掛りを設けると良い。粘着面にゴミが着いて付着が悪くなったら、市販の両面粘着テープを使用すればよい。
【符号の説明】
【００１１】    １    弾性盤
２    ヒンジ構造
３    ペン収納筒
４    支柱
５    壁面
【図１】
2011088441.tif 000003
【図２】
2011088441.tif 000004
(57)【要約】【課題】光触媒を用いた生ゴミ処理装置であっても。生ゴミ処理された分解物に水分が含まれるのを可及的に防止する。【解決手段】光触媒による酸化反応によって生ゴミの分解処理を行う処理槽１２と、処理槽１２内を加熱して水分を蒸発させる加熱手段１４と、処理槽１２内で発生した気体を排気させる排気孔１６とを備えた生ゴミ処理機である。【選択図】図１
2011088057.tif 000002
【特許請求の範囲】
【請求項１】
光触媒による酸化反応によって生ゴミの分解処理を行う処理槽と、
該処理槽内を加熱して水分を蒸発させる加熱手段と、
処理槽内で発生した気体を排気させる排気孔とを備えた生ゴミ処理機。
【請求項２】
７２時間以上紫外線を多孔性無機材料とともに予め照射させた光触媒の酸化反応によって分解処理を行うことを特徴とする請求項１記載の生ゴミ処理機。
【請求項３】
前記処理槽には、処理槽内の光触媒に紫外線を照射させる紫外線照射部をさらに備えたことを特徴とする請求項１記載の生ゴミ処理機。
【請求項４】
光触媒による酸化反応によって生ゴミの分解処理を行う分解工程と、
分解処理されている生ゴミを加熱して水分を蒸発させる加熱工程と、
加熱工程によって蒸発した水分を排気する排気工程とを備えた生ゴミ処理方法。
【請求項５】
７２時間以上紫外線を多孔性無機材料とともに予め照射させた光触媒の酸化反応によって分解処理を行うことを特徴とする請求項４記載の生ゴミ処理方法。
【発明の詳細な説明】
【技術分野】
【０００１】
本発明は、光触媒を用いて有機物を酸化反応させることによって、生ゴミの分解処理を行う生ゴミ処理装置及び生ゴミ処理方法に関する。
【背景技術】
【０００２】
従来から、業務用又は家庭用の生ゴミ処理装置として、酸化チタン（ＴｉＯ２）などの光触媒を用いて生ゴミの有機物を酸化反応させることによって、生ゴミの分解処理を行うものがある（特許文献１）。このような生ゴミ処理装置は、光触媒による酸化反応によって生ゴミの分解処理を行う処理槽と、該処理槽内の光触媒に紫外線を照射せる紫外線照射部と、処理槽内の生ゴミを攪拌する攪拌部と、を備えており、処理槽内で分解処理された分解物は、処理槽の排気孔から排出されるよう構成されている。
【先行技術文献】
【特許文献】
【０００３】
【特許文献１】特開２００６−２８１１６１号公報
【発明の概要】
【発明が解決しようとする課題】
【０００４】
しかしながら、このような生ゴミ処理装置から排出される分解物には、水が含まれており、この水には、例えばホタテの内蔵に含まれるカドミウムなど有害物が溶出していることがあるため、その処理が容易でないという問題がある。そこで、本発明は、光触媒を用いた生ゴミ処理装置であっても。生ゴミ処理された分解物に水分が含まれるのを可及的に防止することを目的とする。
【課題を解決するための手段】
【０００５】
以上の目的を達成するため、本発明は、光触媒による酸化反応によって生ゴミの分解処理を行う処理槽と、該処理槽内を加熱して水分を蒸発させる加熱手段と、処理槽内で発生した気体を排気させる排気孔とを備えた生ゴミ処理機である。
【０００６】
また、本発明は、光触媒による酸化反応によって生ゴミの分解処理を行う分解工程と、分解処理されている生ゴミを加熱して水分を蒸発させる加熱工程と、加熱工程によって蒸発した水分を排気する排気工程とを備えた生ゴミ処理方法である。
【０００７】
以上のように、本発明に係る生ゴミ処理装置及び生ゴミ処理方法によれば、加熱処理により、分解処理された分解物の水分が蒸発して排気されるので、有害物が溶出するのを可及的に防止できる。
【０００８】
本発明に係る生ゴミ処理装置及び生ゴミ処理方法は、７２時間以上紫外線を多孔性無機材料とともに予め照射させた光触媒の酸化反応によって分解処理を行うことが好ましく、このような前処理がされた光触媒は、処理槽内で紫外線を照射させなくても、生ゴミの有機物の酸化反応を促進させることができるので、生ゴミ処理中に紫外線照射などを行わなくても良い。
【発明の効果】
【０００９】
以上のように、本発明に係る生ゴミ処理装置及び生ゴミ処理方法によれば、光触媒を用いた生ゴミ処理装置であっても。生ゴミ処理された分解物に水分が含まれるのを可及的に防止することができる。
【図面の簡単な説明】
【００１０】
【図１】本発明に係る生ゴミ処理装置の実施形態の概略図である。
【発明を実施するための形態】
【００１１】
次に、本発明に係る生ゴミ処理装置の実施形態について図面に基づいて説明する。図１は、本実施形態に係る生ゴミ処理装置の概略図である。本実施形態に係る生ゴミ処理装置は、ハウジング１０と、ハウジング１０内に設けられ、光触媒による酸化反応によって生ゴミの分解処理を行う処理槽１２と、ハウジング１０内に設けられ、処理槽１２内を加熱して水分を蒸発させる加熱部１４と、処理槽１２内で発生した気体をハウジング１０外に排気させる排気部１６と、を備えている。
【００１２】
処理槽１２の上方には、分解処理される生ゴミが処理槽内に投入するための投入口１８が形成されており、その投入口１８には、蓋部材２０が設けられている。また、処理槽１２には、分解処理される生ゴミを攪拌する攪拌部２２が設けられている。攪拌部２２は、攪拌羽を備え、ハウジング１０内の処理槽１２の外側に設置されたモータ２４によって回転するように構成されている。
【００１３】
処理槽１２内に投入される光触媒として、７２時間以上紫外線及び赤外線の少なくとも一方を多孔性無機材料とともに予め照射させたものを用いる。例えば、多孔性無機材料として蛭石、巨匠石、長石、石英、麦飯石及び御影石などの天然鉱物を３００メッシュ以上に粉砕し、その天然鉱物５０．８０重量％と生石灰２０．５重量％を真空炉（５００ｍｍＨｇ）に入れて攪拌し、さらに酸化触媒として酸化チタン、触媒担体としてシリカ・アルミナを少量混合しながら、紫外線及び赤外線を１２０時間照射された光触媒を用いる。このように予め紫外線や赤外線処理を施したものを用いることによって、処理槽内において紫外線などを照射させなくても、有機物の酸化反応を促進させて、生ゴミの分解処理を行うことができる。
【００１４】
加熱部１４は、ヒータが内蔵されており、処理槽１２内に８０〜１００℃の熱風を供給可能に構成されている。排気部１６は、処理槽１２の上方に形成された排気孔に接続されたパイプからなり、このパイプの先端がハウジング１０外まで延在することによって、処理槽１２内で発生した気体を排気させるよう構成されている。
【００１５】
本実施形態に係る生ゴミ処理装置は、処理槽１２内の生ゴミは、その有機物の酸化反応が光触媒によって促進され、分解処理される。この際、加熱部１４から８０〜１００℃の熱風が供給されているので、分割物の水分が処理槽１２内に蒸発し、排気部１６を介してハウジング１０外に排気される。
【００１６】
以上のように、本実施形態に係る生ゴミ処理装置においては、予め紫外線処理や赤外線処理を行った光触媒を用いたが、処理槽内に光触媒に紫外線を照射させる紫外線照射部を設けて、これら紫外線処理や赤外線処理を行っていない光触媒を用いても良い。
【符号の説明】
【００１７】
１２  処理槽
１４  加熱部
１６  排気部
【図１】
2011088057.tif 000003
(57)【要約】      （修正有）【課題】たばこ、卓上調理器から発生する煙を浄化する煙フード空気清浄スタンドの提供。【解決手段】発生した煙を受け止め吸引するフード４と一体化した吸引用穴を多数設けたフード２で集煙した空気を導入筒１に導き、フィルター５を通過した空気は空気ポンプ７により導入口６、排気口８を経て中空ボックス１０内に排出し、その後流出口９よりフード２方向に流出、循環し、煙の拡散を抑え、たばこの有害物質等を効果的に浄化する。【選択図】図１
2011088127.tif 000002
【特許請求の範囲】
【請求項１】
たばこ、卓上調理等で発生した煙を受け止め吸引するフード（４）と一体化した吸引用穴を多数設けたフード（２）で集煙した空気を導入筒（１）に導きフィルター（５）を通過した空気を吸引する空気ポンプ導入口（６）より空気ポンプ（７）によって空気排気口（８）から中空ボックス（１０）内に排出され（１０）内で加圧された空気は空気流出口（９）よりフード（２）方向に流出され空気循環システムを構成し煙の拡散を抑える事を特徴とする煙フード空気清浄スタンドである。
【発明の詳細な説明】
【技術分野】
【０００１】本発明は空気清浄器に関するものでありフード状おおい吸気体で煙を吸引しフィルターを内蔵した導入筒に接続された空気ポンプを介し再びフード状吸気体に空気を流出する循環式空気清浄器である。
【背景技術】
【０００２】空気清浄器は家庭、業務用に多数使用されているが、たばこ、卓上調理器等の簡易な処理機器は開発されていなく多くは換気扇等で室外に排出する方法が一般対策であった。
【発明の開示】
【発明が解決しようとする課題】
【０００３】従来家庭用業務用空気清浄器は家庭用は単体、業務用はダクト等により大規模システムで空調システムとして使用されていた。しかし、たばこ、卓上調理の煙は室内に拡散し受動喫煙の影響も多く清浄時間も長く要し通常の清浄器だけでは処理は困難で換気扇の併用が多く室内温度の変化の不都合も生じていた。
【課題を解決するための手段】
【０００４】この課題を解決すための請求項１の発明は発生した煙を受け止め吸引するフード（４）と一体化した吸引用穴を多数設けたフード（２）で集煙した空気を導入筒（１）に導きフィルター（５）を通過した空気を吸引する空気ポンプ導入口（６）より空気ポンプ（７）によって空気排気口（８）から中空ボックス（１０）内に排出され（１０）内で加圧された空気は空気流出口（９）よりフード（２）方向に流出され空気循環システムを構成し煙の拡散を抑えたばこの有害物質等を効果的に浄化する事ができる。
【発明の効果】
【０００５】本発明は一体構造で構成されているので使用場所に自由に移動でき特に社会問題となっているたばこの受動喫煙を減少させ住宅、店舗内での使用に期待できる。
【発明を実施するための最良の形態】
【０００６】図１は発生した煙を受け止め吸引するフード（４）と一体化した吸引用穴を多数設けたフード（２）で空気を導入筒（１に導きフィルター（５）を通過した空気を吸引する空気ポンプ導入口（６）より空気ポンプ（７）によって空気排気口（８）から中空ボックス（１０）内に排出され（１０）内で加圧された空気はフード（２）方向に流出され空気循環する。
【図面の簡単な説明】
【０００７】
【図１】煙用フード空気清浄スタンドの断面図を表す。
【符号の説明】
【０００８】１    空気導入筒
２    穴あきフード
３    空気流入穴
４    フード
５    フィルター
６    空気ポンプ導入口
７    空気ポンプ
８    空気排気口
９    空気流出口
１０  中空ボックス
【図１】
2011088127.tif 000003
(57)【要約】【課題】漁業するとき、レジャーなどのとき、救命具を装着して行動するには、邪魔になり、着ないことが多い。  本発明は、身軽に着られて、安全を備える、用品を提供する。【解決手段】Ｔシャツ・下着などの服装の裏側全面に、小さな空気入り袋を設ける。【選択図】図２
2011111706.tif 000002
【特許請求の範囲】
【請求項１】
Ｔシャツ・下着などの裏地全面に、小さい空気袋を設け、裾部左右に装着固定用の紐を設けたことを特徴とするＴシャツ・下着型救命具。
【発明の詳細な説明】
【技術分野】
【０００１】本発明は、水場所海場所などで、Ｔシャツなどの救命用具を、身につけるものである。
【背景技術】
【０００２】従来、救命具は、特別な状況でのみ、身につけるものとされ、仕事やレジャーなどで着るには適していなかた。
【発明の開示】
【発明が解決しょうとする課題】
【０００３】救命胴服が厚く嵩張り、行動するには無理がある服の形で、作られている。
本発明は、以上の問題点を解決するたに、作られたものである。
【課題を解決するための手段】
【０００４】Ｔシャツ・下着の裏側に、小さい空気袋を全面に設け、裾部左右に装着固定用の紐を設ける。
以上の構成よりなる救命具である。
【発明の効果】
【０００５】従来は漁業の仕事などでは、救命胴服を身につけたままでは、とても作業などできないとされたが、本発明は嵩張らないので、Ｔシャツなどのように救命具を身につけて、仕事が安全に出来る。またレジャーのときも突発的な事故が起きても、水の中でも浮いていられる。
【発明を実施するための最良の形態を説明】
【０００６】以下、本発明の実施の形態を説明する。
（イ）Ｔシャツ裏地面（２）の全面に小さな空気袋（３）を設ける。
（ロ）Ｔシャツ（１）の裾部左右に、装着固定用の紐（４）を設ける。
本発名は以上の構成である。
本発明を使用するときは、普通にＴシャツや下着と同様に着衣し、装着固定用の紐（４）で結んで締める、行動作業も普通に自由に行なえる、テレビや新聞などの報道をみていると遭難者は、気がつくと水の中にいたと話す。下着救命具を作業などに出る前に着れば浮くので次の行動が取れる。
【図面の簡単な説明】
【０００７】
【図１】本発明の使用状態を示す正面図
【図２】本発明の構造図
【符号の説明】
【０００８】（１）Ｔシャツ  （２）Ｔシャツ裏地面  （３）空気袋  （４）紐
【図１】
2011111706.tif 000003
【図２】
2011111706.tif 000004
(57)【要約】      （修正有）【課題】ワインボトル等収納時には安定した運搬が出来、ワインボトル等を運んだ後、袋を再利用する。【解決手段】袋部本体１に、折り返し部２と、持ち手３と、両端を固定されたマチ５を設けるので、ワインボトル等６収納時は袋底部４でワインボトル等６をしっかり包み込む形状になり、ワインボトル等６取り出し後はマチ５を畳み、持ち手３を折り返し部２より下部の袋内側に取り付けることで、折り返し部２を折り返すことが出来るので、普通の持ち手バッグとして使用することが出来る。【選択図】図１
2011111232.tif 000002
【特許請求の範囲】
【請求項１】
袋部本体と折り返し部の高さを足したものがワインボトル等の高さ以上有り、全周の長さをワインボトル径の４倍余とした袋部本体の上部に折り返し部を設け、袋の中で瓶が遊んで動き回らないように幅がワインボトルの径余としたマチを底部に設け、持ち手を本体の内側に、折り返し部をより下の部分に取り付けることで、ワインボトル等収納時はワインボトル等を包み込む形で安定した運搬が出来、ワインボトル等を入れないときにはマチを畳んで折り返し部を折り返すことで、普通のバッグとして利用出来るワインボトル等収納袋。
【発明の詳細な説明】
【技術分野】
【０００１】  本発明は、袋底部にマチを設け、持ち手をつけたワインボトル等収納袋に関するものである。
【背景技術】
【０００２】  従来のワイン収納袋は、ワインボトル等の形状に合わせた細長い形状を変えることが出来ず、その結果、ワインボトル等と同等の形状以外のものを入れるのが困難であった。
【特許文献１】
【特許文献２】
【特許文献３】
【発明の概要】
【発明が解決しようとする課題】
【０００３】  そのために、ワインボトル等を収納袋から取り出してしまうと、収納袋の役目は終え、再利用のしにくい袋となってしまう。
【課題を解決するための手段】
【０００４】  収納袋の本体の上部には折り返し部を設け、持ち手を本体の内側の折り返し部より下の部分に取り付ける。本体底部には両端が本体に固定される形のマチを設ける。マチ幅は、通常のワインボトルの径が８センチ程度であることを考慮して８センチ余とし、袋本体の全周をワインボトルの径の４倍である３２センチ余とすることで、袋の中で瓶が遊んで動き回らないように工夫した。袋本体と折り返し部の高さを足したものはワインボトル等の高さ以上となるようにする。折り返し部や袋本体にポケット等を設けることも可能だし、折り畳みのための補助具をつけることが出来る。また、折り返し部の口の部分に口を縛るために紐等を通すことも可能である。袋本体と持ち手の素材は、布、不織布、ビニール、革、合成皮革等、薄くやわらかい素材であれば何でも用いることが出来る。持ち手はワインボトル等運搬時に支障の無いものであれば素材は自由である。
【発明の効果】
【０００５】  ワインボトル等収納時には、マチはいっぱいに広がり、マチの固定された両端で支えるので、袋がワインボトル等の形に沿うようになる上、折り返し部を折り返さないことで、ワインボトル等全体を包む形状となり、安定して運搬することが出来る。ワインボトル等を取り出した後には、マチを畳んで袋本体の厚みを薄くし、折り返し部を折り返して袋の高さを軽減することで、一般の持ち手バッグとして使用出来る。
【図面の簡単な説明】
【０００６】
【図１】本発明ワインボトル等収納時の状態を示す斜視図
【図２】本発明持ち手バッグとして使用時を示す斜視図
【発明を実施するための最良の形態】
【０００７】以下、本発明の実施の形態を説明する。
（イ）袋部本体（１）、本体折り返し部（２）、持ち手（３）から構成される。
（ロ）袋部本体（１）にはマチ（５）を設け、マチ（５）両端部を袋部本体（１）に縫い      つけるなどの方法で固定して、本体底部（４）においてマチ（５）がワインボトル      等（６）の荷重を受け、袋部本体（１）とマチ（５）がワインボトル等（６）を包      むような形状にする。持ち手（３）は袋部本体（１）の内側の本体折り返し部（２      ）より下部の位置に取り付ける。
（ハ）本発明は以上のような構造で、これを実際に使用する時は、袋部本体（１）の高さ      と本体折り返し部（２）の高さを足したものがワインボトル等（６）の高さ以上と      なるようにし、マチ（５）の幅をワインボトル等（６）の径余とし、袋部本体（１      ）の全周をワインボトル等（６）の径の４倍余とすることで、ワインボトル等（６      ）を安定して運搬することが出来る。
【符号の説明】
【０００８】１  袋部本体
２  本体折り返し部
３  持ち手
４  本体底部
５  マチ
６  ワインボトル等
【図１】
2011111232.tif 000003
【図２】
2011111232.tif 000004
(57)【要約】【課題】板状の合成樹脂製、または、金属製で、コの字形状に、上部と中部と下部を、適度に曲げた携帯可能なプルタブオープナーを提供する。【解決手段】板状の合成樹脂製、または、金属製の上部の先端に、プルタブ差込部（１）を付け、また、差込みやすくするための曲がりを付け、中部にバネとなるバネ曲がり部（３）を、鋭角な曲がりで付け、下部のバネ強化部（５）に、バネの強化となるための曲がりを付け、差込み時のずれを防止するプルタブ固定支持板（８）と、落下防止のための指固定ホルダー（７）を備え、キーホルダー（９）を備えた、プルタブを開けることを特徴とする携帯可能なプルタブオープナー。【選択図】図１
2011111233.tif 000002
【特許請求の範囲】
【請求項１】
板状の合成樹脂製、または、金属製であって、長手方向にコの字形状であり、上部にプルタブ差込部を有し、先端は、くさび状であり、下場が、わん曲であることを特徴とするプルタブオープナー。
【請求項２】
プルタブ押し上げ部に、プルタブ固定支持板を備えることを特徴とする請求項１に記載のプルタブオープナー。
【請求項３】
中部のバネまがり部は、鋭角であり、下部のバネ強化部も曲がりを有することを特徴とする請求項１、または、請求項２いずれかに記載のプルタブオープナー。
【請求項４】
中部のバネ部外側に、指固定ホルダーを有し、指固定ホルダーは、回転可能な弧状であることを特徴とする請求項１、または、請求項２、または、請求項３いずれかに記載のプルタブオープナー。
【発明の詳細な説明】
【技術分野】
【０００１】  本発明は、携帯可能なプルタブオープナーに関するするものである。
【背景技術】
【０００２】  従来は、金属性のもので、プルタブに差込み、持ち上げるタイプのもの、金属板を板状また、円形状にしたものがある（例えば、特許文献１参照。）。また、家庭用と思われる大型のもの、壁に固定しとくものがある（例えば、特許文献２参照。）。
【先行技術文献】
【特許文献１】  特開平０８−０４８３９２号公報
【特許文献２】  特開２０００−８８９３号公報
【発明の概要】
【発明が解決しようとする課題】
【０００３】  それらには、次のような問題点があった。
（イ）金属板を板状、また、円形状にしたのものは、缶の方を押さえる必要がある。
（ロ）家庭用は、大きめのもの、また、固定式のもので、携帯するには不便である。
本発明は、これらの問題点を解決するものである。
【課題を解決するための手段】
【０００４】  本発明は、板状の合成樹脂製、または、金属製を長手方向にコの字形状にし、上部にプルタブ差込部を有し、プルタブへ差し込まれる先端は、くさび状で有り、くさび状の下場を、わん曲にしてある。また、プルタブ押上げ部の側面に、プルタブを固定するための支持板を備える。また、中部にバネとなる鋭角な曲がりを付け、下部のバネ強化部も強化のための曲がりを付け、バネ部をバネ化する。また、中部のバネ部外側に、落下防止のための、回転可能な弧状の指固定ホルダー備える。また、キーホルダー機能を備えたことを特徴とする携帯可能なプルタブオープナーである。
【発明の効果】
【０００５】  小型、軽量で、携帯でき、バネの力を利用するので開ける力を軽減できる。また、指固定ホルダーに指をはさめることで本発明品を落とさずに、片手で使用できる。
【図面の簡単な説明】
【０００６】
【図１】本発明の斜視図
【図２】同側面図
【図３】同使用図
【図４】同使用図
【発明を実施するための形態】
【０００７】  以下、本発明の実施の形態について説明する。
（イ）板状の合成樹脂製、または、金属製の上部にプルタブ差込部（１）と差込みやすくするための曲がりと、プルタブ押上げ部（２）の側面にプルタブ固定支持板（８）を付け、中部にバネのためのバネ曲がり部（３）を鋭角にし、下部に缶への固定部（６）とバネの強化のためのバネ強化部（５）の曲がりを付ける。
（ロ）中部のバネ部（４）外側に、弧状の指固定ホルダー（７）を回転できるよう止めピン（１１）で止め付けする。
（ハ）バネ強化部（５）に、キーホルダー（９）を有する。
【０００８】  本発明は以上のような構成で、これを使用するときは、指固定ホルダー（７）に指をはさむ。これは、使用時、本発明品を落とさないためである、また、指固定ホルダー（７）は、やわらかめの合成樹脂製、または、は金属製の素材を使用してるので、指の太さはフリーである。また、指固定ホルダー（７）は回転するので、人さし指（１２）または、親指（１３）いずれも使用（図３・図４参照）できる。次にプルタブ差込部（１）をプルタブ（１４）に差込み、プルタブ差込部（１）は、差込みやすくするため、先端をくさび状にし、適度な曲がりを付ける。また、くさび状の下場をわん曲にして、プルタブ（１４）と缶（１５）の止め部に引っかからないようにしてある。また、プルタブ固定支持板（８は、プルタブ（１４）と本発明品が横ずれしないためのものである。次に押し込む際、中部のバネ曲がり部（３）が開くように、指固定ホルダー（７）でプルタブ（１４）に押し込む。そして、指固定ホルダー（７）を、前ななめ上にプルタブ（１４）を押し上げる。その際、バネ曲がり部（３）とバネ強化部（５）とで、バネの力を利用するので押し上げる力を軽減できる。また、キーホルダー（９）とキーホルダーフック部（１０）を備えるため携帯できる。
【符号の説明】
【０００９】  １  プルタブ差込部
２  プルタブ押上げ部
３  バネ曲がり部
４  バネ部
５  バネ強化部
６  固定部
７  指固定ホルダー
８  プルタブ固定支持板
９  キーホルダー
１０  キーホルダーフック部
１１  止めピン
１２  人さし指
１３  親指
１４  プルタブ
１５  缶
【図１】
2011111233.tif 000003
【図２】
2011111233.tif 000004
【図３】
2011111233.tif 000005
【図４】
2011111233.tif 000006
(57)【要約】      （修正有）【課題】ワインボトルなど、コルクにて密栓された瓶の開栓には、力がないとなかなか抜けない、治具の取り扱いが難しい等コルク栓を抜くのに苦労する。力も必要なくコルクの開栓が出来る治具を提供する。【解決手段】ハンドル４のついた螺旋状錐３と、瓶口を覆う形状で透明な本体１と、ガイドキャップ２とを、螺子部で螺合させ、本体１の下部に、瓶当てストッパー１０を、ガイドキャップ２には雌螺子を、中央にはコルク径より大きい開口部を形成したコルク栓用の栓抜き補助具。使い方としては、瓶口に瓶当てストッパー１０をかぶせ、ハンドル４を握り、螺旋状錐３をコルクに当て、ハンドル４を廻す。コルクに食い込んでガイドキャップ２とのすき間７が無くなり、コルクは抜け始め、抜け具合を確認する事ができる。【選択図】図１
2011111234.tif 000002
【特許請求の範囲】
【請求項１】
本体下部には瓶当てストッパー、上部には雄螺子、ガイドキャップには雌螺子を設け、共に透明な樹脂素材で、中央にはコルク径より大きな開口部を設け、筒状に形成された本体と、ガイドキャップを螺子部で螺合させ、ガイドキャツプの螺子の調節により螺旋状錐の種類に合わせて使用出来ることを特徴とする、コルク栓用の栓抜き補助具。
【発明の詳細な説明】
【技術分野】
【０００１】本発明は、コルクを抜く、螺旋状錐の操作をより簡単にするための、コルク栓用の栓抜き補助具に関するものである。
【背景技術】
【０００２】下記特許文献１，２，３，４，５においては、各々大変よく考えられたコルク栓抜き治具と思われる。しかしながら部品を取り付けたり、かなり構造が複雑な物があり、逆に扱いにくいのではないかとも思われる。又従来のＴの字型の螺旋状錐のハンドル（ワインオープナー）の方が、握る力も小さくてすむので軽く廻す事が出来る。
【先行技術文献】
【０００３】
【特許文献１】特開２０００−２３８８９４
【特許文献２】実用平６−５９２９６
【特許文献３】特開２００２−４６７９５
【特許文献４】特開２０００−１５９２９３
【特許文献５】特開平１１−２９２１９４
【発明の概要】
【発明が解決しようとする課題】
【０００４】上記特許文献に見られる様に、螺旋状錐をコルクに食い込ませてクラッチ部をもうけたり、ドリルをコルクに没入させたり、する方法が従来のものであるが、構造が大変複雑である。
そこで本発明にあっては、構造がとても簡単で、又取扱いが簡単なコルク栓抜き治具を提供しようとする。
【課題を解決するための手段】
【０００５】本発明は、螺旋状錐にハンドルをもうけ、さらに螺旋状錐とハンドルの間に、螺旋状錐がコルクの中に、食い込む為のガイドキャップをもうけ、本体及びこれと螺合されるガイドキャップは、対象となるコルク径よりも大きな開口で筒状に形成される。
【発明の効果】
【０００６】ワインのコルク栓を抜くのには大変苦労する事がある。色々な治具が市販されてはいるが、価格が高かったり取扱いが面倒な物が多いと思われる。
本発明によれば簡単な取扱いでさほど力も必要としないうえ、確実で簡単にコルク栓を抜くことができる。
【図面の簡単な説明】
【０００７】
【図１】本発明の一部を透過させた正面図である。
【図２】本発明のハンドル部分を除いた断面図である。
【図３】本発明の使用状態を示す。
【発明を実施するための形態】
【０００８】以下、本発明の実施例について説明する。
本体（１）には上部に雄螺子を、ガイドキャップ（２）には内側に雌螺子を設け、本体（１）とガイドキャップ（２）を螺合させる。次に螺旋状錐（３）を、ガイドキャップ（２）の上部より通し、先端をコルク上部に当てる。この時ハンドル（４）とガイドキャップとのすき間を適宜設け、螺旋状錐のハンドル（４）を廻し、コルクに食い込ませる。本体（１）とガイドキャップ（２）とをネジで一体化させ、軽く握りもう一方の手で螺旋状錐のハンドル（４）を握り、ガイドキャップ（２）へ通し、先端をコルク上部に当て、次にハンドル（４）を押しながら廻し、先端がコルクに食い込んでいる事を確認し、さらに廻す事によりハンドル（４）とガイドキャップ（２）とのすき間（７）は無くなる。さらにハンドル（４）を廻す事により、螺旋状錐（３）はコルクに食い込もうとするがガイドキャップ（２）とのすき間がないため、コルクが浮き上がって来る事になり開栓となる。
本体（１）及びガイドキャップ（２）は透明な素材の為、コルクの抜ける状況が分かるので必要以上に、ハンドル（４）を廻す事もなく又コルクの抜け具合が分かる。
本発明は着脱自在の螺旋状錐の補助治具である。
【符号の説明】
【０００９】  １  本体
２  ガイドキャップ
３  螺旋状錐
４  ハンドル
５  雌螺子部
６  雄螺子部
７  すき間
８  瓶口
９  コルク
１０  瓶当てストッパー
【図１】
2011111234.tif 000003
【図２】
2011111234.tif 000004
【図３】
2011111234.tif 000005
(57)【要約】【課題】  備中地域に太古の大昔から賦与されている貴重な希少元素を取り出して珠石を作るのが本発明です。  粘土で炉を作り内径（２０ｃｍ×２０ｃｍ×３０ｃｍ）  その中央部（１５ｃｍ）に直径５ｃｍの穴をあけ、そこから炉内に風を送り込みます。【解決手段】  一方炉内を松炭で一杯にして点火します。３０分くらい送風して、炉内の温度が１０００度くらいに達っしたことを確認して、砂鉄を投入します。  ２ｋｇ〜４ｋｇの砂鉄を１時間〜１時間３０分かけて炉内に投入します。風を止めて炉が冷えるのを待って内容物を取り出します。  珠石の完成です。【選択図】なし【特許請求の範囲】
【請求項１】
耐火性の粘土で炉を築き、その中で炭を燃やし、砂鉄を投入する。出来た生成物を珠石と珠鋼に分離する。
【請求項２】
珠石を植物に与える。
【請求項３】
珠石を水中に投入して珠水を作り、植物に与える。
【発明の詳細な説明】
【手続補正書】
【提出日】平成22年7月9日(2010.7.9)
【手続補正１】
【補正対象書類名】明細書
【補正対象項目名】全文
【補正方法】変更
【補正の内容】
【発明の詳細な説明】
【技術分野】
【０００１】  珠石に含まれる多種多量の金属が水（Ｈ２Ｏ）と化合して強力な酵素となり、ＡＴＰからエネルギーを発生させます。
植物が元気になる所以です。
【背景技術】
【０００２】  ＡＴＰのしくみ
【先行技術文献】
【０００３】  知りません。
【発明の概要】
【発明が解決しようとする課題】
【０００４】  地球温暖化防止
【産業上の利用可能性】
【０００５】  農業
珠石と珠水は農業に役立ちます。
珠石は果樹に、珠水は野菜や穀類に与えています。
珠石、珠水は収穫量の増加、糖度の増加  無農薬、無化学肥料、害虫の減少等々を実現します。
２．医療
珠石、珠水で育てた農産物を食べると、食べた人は元気になります。
すでに多くの人々の病気を改善しています。
３．学校
珠石、珠水で育てた農作物を子供達に、食べていたゞくと子供達の学力が向上します。
すでに多くの子供達の成績が上っています。
(57)【要約】      （修正有）【課題】ＣＯ２の少ない炭化水素の熱分解による水素製造法を提供する。【解決手段】炭化水素と酸素とを不完全燃焼させて得た熱水素に適量の酸素を吹き込んで熱水素の一部を更に燃焼させて炉内温度を１２００−１６００℃に上昇させ、そこに適量の炭化水素をふき込むことによって、これを熱分解して熱水素と炭素を発生せしめる。ここで生成した熱水素を、次の炉に送り、同様に炭化水素を分解すべく熱水素の温度を維持して、複数個の熱分解炉をとおして８０％以上の水素を得ることができる。【選択図】なし【特許請求の範囲】
この発明は、断熱材で覆われた長い筒状の熱分解炉で、その内部は孔のあいた隔壁板で複数の炉室に仕切られている。各炉室には、温度やガス成分をＩＴ制御するセンサーと、それに連動する酸素と炭化水素の電磁式バーナーをもっている。
それぞれの炉室では、全炉室で生成された熱水素の一部に酸素をふき込んで燃焼させ、１２００〜１６００℃に昇温させ、ここに別のバーナーからふき込んだ炭化水素を加熱して熱分解させ、Ｈ２、Ｃ、ＣＯ、ＣＯ２を生成させる。このようにしてＨ２を中心とする生成ガスを増加させ、最後尾の炉室から大量のＨ２、Ｃ、ＣＯ、ＣＯ２を排出する炭化水素多段式熱分解炉とした。
【発明の詳細な説明】
【技術分野】
【０００１】  本発明は、炭化水素を原料として水素を製造する熱分解法に関するものである。
【背景技術】
【０００２】  酸素を用いて炭化水素を酸化改質する部分酸化法並びに自己熱改質法は１９５０年代に米国で開発され、水素の製造法としては水蒸気改質に次いで実績がある。このプロセスでは、酸素を用いて原料の一部を燃焼させ、発生した熱によって残りの原料を改質する。この方法は、反応温度が１，２００〜１，６００℃と非常に高いため、反応器材料が高価で大型になるなどして、水素製造法して最近ではあまり利用されていない。しかし、最近では反応器材料の高質化と単純な構造の装置なので注目されている。
【発明の開示】
１）  中村  仁：水素製造装置  ＰＥＴＲＯ−ＴＥＣＨ、２３、１、ｐ８２〜８９（２０００）
２）  太田時男監修：水素エネルギー最前線：文部科学省  科学技術政策研究所編  工業調査会発行ｐ１５２（２００３）
３）  「触媒活用大字典」編集委員会編：触媒活用大事典ｐ５２２（２００４，１２）
４）  水素燃料電池ハンドブック編委員会：水素燃料電池ハンドブックｐ６６８（平１８、９）
【発明が解決しようとする課題】
【０００３】この発明は、炭化水素を炭素と水素に熱分解する際にＣＯとＣＯ２の副成を極度に抑えることが、課題である。
【０００４】上記方法を車上で操作できるモバイル式であること。
【課題を解決するための手段】
【０００５】この発明は、炭化水素の熱分解を直列に並べた複数の熱分解炉で実施し、それぞれの分解炉で発生する高熱の水素の一部をつぎの分解炉で燃焼するようにする。この際、分解炉中の温度と水素濃度を測定しながら酸素を供給し、炉内の温度を１２００〜１６００℃に保ち、この温度で炭化水素を熱分解；最終炉よりＨ２、ＣＯ２の混合の粗水素を得る。なおこの発明では熱分解炉を直列に連結するので適当な長さの筒状の熱分解炉を得、モバイル式に利用することを得る。
【発明の効果】
【０００６】この発明で、それぞれの分解炉で発生した高熱水素の一部に次の分解炉で酸素を供給すれば高熱水素を燃焼させ１２００℃〜１６００℃の高温を維持することができ、この温度中で炭化水素が連続的に分解でき、８０％程度の粗水素を得ることができる。
【発明を実施するための最良の形態】この発明は、水素を［部分酸化法］又は［自己熱改質法］で製造するための熱分解炉に関するものである。【０００８】一例をあげると、図１に示すように断熱材で覆われた長い筒状の熱分解炉２はその内部が孔のあいた隔壁板５，６，７，８で仕切られている。図２に示すように上記隔壁板で仕切られた第一熱分解炉９、第２熱分解炉１０、第３熱分解炉１１、第４熱分解炉１２、第５熱分解炉１３は、直列にならんで配置される。各隔壁板はあけられた孔により、ガスは矢印２７のように各熱分解炉を通り抜け、ガス出口４より矢印２８のように排出される。【０００９】図３に示すように、炭化水素と酸素、水蒸気の混合ガスは第一熱分解炉９のバーナー２１と２２で第一熱分解炉９に吹き込まれ、点火され、火焔２３によって、第一熱分解炉９は７００〜１０００℃に加熱され、一部の炭化水素は、Ｈ２とＣＯ、ＣＯ２に熱分解され、第２熱分解炉１０に押し出される。【００１０】図３の隔壁板にあけられた孔１５より、前記Ｈ２とＣＯ、ＣＯ２ガスは第２熱分解炉１０に矢印２９のように入る。このガスは７００〜１０００℃の熱ガスであるが、これに炉の入口１５で酸素バーナー１８より酸素の供給をうけ、Ｈ２とＣＯが燃焼；１２００〜１６００℃に昇温される。この時炉の別のバーナー３１で炭化水素が吹き込まれ、これが、熱分解され、Ｈ２とＣＯ、ＣＯ２が更に増えて、第３熱分解炉１１に向かう。【００１１】第３熱分解炉１１の入口１６では、矢印３０のように第２熱分解炉１０で発生したＨ２とＣＯの高熱ガスに酸素バーナー２５より酸素の供給をうけ、１２００〜１６００℃を維持するように昇温される。ほぼ同時に第３熱分解炉１１の別のバーナー３２より炭化水素が吹き込まれ、これが熱分解されて、Ｈ２が更に増えて、第４熱分解炉１２に向かう。符号１４，１７、３３、３４、３５は温度、Ｈ２、ＣＯ、ＣＯ２の測定端子で、この測定値によって酸素バーナーの酸素吸入量や炭化水素バーナーでの炭化水素の供給量が調節される。なお符号３６、３８は酸素バーナーで符号１９、２６は酸水素焔である。【００１２】上述のようにして第２熱分解炉以降は、前段で発生した熱水素の一部を燃料として熱分解炉の温度を維持しながら、同時に供給される炭化水素をＣＯ２の新たな発生なしに水素の製造が増加され、最後尾の第５熱分解炉の発生ガス出口４より矢印２８より水素８０％以上の粗水素の製造ができる。
【産業上の利用可能性】
【００１３】この発明は、熱水素の高反応性を利用したもので、熱分解炉の段数を増加し、途中より粗水素の一部を引き抜くなどすれば、僅少のＣＯ２の発生で多量の粗水素の製造が可能であるばかりでなく、小型の熱分解炉を横につないだ多段式分解炉が可能で、モバイル式として、軽車両にも搭載可能である。分解炉で使用する酸素の代わりに空気を使うことも可能でこの時は、生成ガスを冷却したのち高分子膜を利用した水素分離という方法をとれば、粗水素から、直接、燃料電池にも使用できる高純度の水素の生産可能である。また各熱分解炉にニッケルと白金を担持した触媒を用いると分解温度を５〜１０％低くすることも可能である。
【図面の簡単な説明】
【００１４】
【図１】  炭化水素多段階式熱分解炉の縦断面図
【図２】  炭化水素多段階式熱分解炉の熱分解炉の配置図
【図３】  炭化水素多段階式熱分解炉の熱分解炉の補機配置図
【図１】
2011111388.tif 000002
【図２】
2011111388.tif 000003
【図３】
2011111388.tif 000004